(57)【要約】 【課題】  透過及び反射の効果を達成できる半透過半反射型液晶表示パネルの提供。【解決手段】  遅延値が波長の四分の一である第１の補償フィルムを有する第１の偏光板を備える第１の透明基板と、遅延値が波長の四分の一である第２の補償フィルムを有する第２の偏光板を備える第２の透明基板と、前記第１の透明基板と前記第２の透明基板との間に充填される液晶物質層と、外部からの入射光を反射することのできるように設けられるバックライト構造とを有する半透過半反射型液晶表示パネルからなり、透過型液晶表示パネルのバックライト構造を利用しLCDパネルの上端及びその底面に補償フィルム付偏向板を付設する。液晶物質層のねじり角度、及び補償フィルムの偏向軸と偏光板の透過軸とがなす角度の選択により、透過型LCDにおいても反射効果が達成される。【選択図】  図１
2006215314.tif 000002
【特許請求の範囲】
【請求項１】
遅延値が波長の四分の一である第１の補償フィルムを有する第１の偏光板を備える第１の透明基板と、
遅延値が波長の四分の一である第２の補償フィルムを有する第２の偏光板を備える第２の透明基板と、
前記第１の透明基板と前記第２の透明基板との間に充填される液晶物質層と、
外部からの入射光を反射することのできるように設けられるバックライト構造とを有する半透過半反射型液晶表示パネル。
【請求項２】
前記バックライト構造は、光源と、前記第１の透明基板側に設けられる導光板とを含むことを特徴とする請求項１に記載の半透過半反射型液晶表示パネル。
【請求項３】
前記液晶物質層のねじり角度が０−５０度であることを特徴とする請求項１または２に記載の半透過半反射型液晶表示パネル。
【請求項４】
前記第１の偏光板と前記第２の偏光板との透過軸が互いに垂直し合うことを特徴とする請求項１乃至３のうちいずれか一項に記載の半透過半反射型液晶表示パネル。
【請求項５】
前記補償フィルムの偏向軸と対応の偏光板の透過軸とがなす角度は４５度であることを特徴とする請求項１乃至４のうちいずれか一項に記載の半透過半反射型液晶表示パネル。
【請求項６】
前記第２の透明基板は、反射遮蔽層を有することを特徴とする請求項１乃至５のうちいずれか一項に記載の半透過半反射型液晶表示パネル。
【請求項７】
前記反射遮蔽層は、ブラックマトリクスからなることを特徴とする請求項６に記載の半透過半反射型液晶表示パネル。
【請求項８】
前記ブラックマトリクスは、ブラック樹脂又はCr／CrOxから形成されることを特徴とする請求項７に記載の半透過半反射型液晶表示パネル。
【請求項９】
前記ブラックマトリクスは、第２の透明基板の表面に形成されることを特徴とする請求項７または８に記載の半透過半反射型液晶表示パネル。
【発明の詳細な説明】
【技術分野】
【０００１】
本発明は、液晶表示パネル（LCD  Panel）に関わり、特に、半透過半反射型液晶表示パネル（Transflective LCD  Panel）に関する。
【背景技術】
【０００２】
従来より、液晶表示技術は、「反射型」（Reflective Type）と「透過型」（Transmissive Type）との両種類のものからなる。前者は、バックライトを使用せず、LCDパネルに付設される反射板により外部からの光線を反射するものであり、極めて節電する（電力は透過型LCDの数分の一に過ぎない）という利点を有する反面、より暗い場所にて表示スクリーンの内容が見られずコントラストが劣化するという欠点を有する。このため、前者を使用する際に、補助光源としてフロント光源を用いるのは一般的である。
【０００３】
全反射型LCDは、環境光が十分でない場合に、そのコントラスト及び明度（Brightness）がかなり劣化する。一方、全透過型LCDは、室外の光が強い環境において、そのコントラストが十分でない。このため、該両技術を組み合わせて半透過半反射型（Transflective Type）のLCDを形成する案が考えられる。そして、このようなLCDパネルは、透過型及び反射型両者の利点を兼有する。外部の光線が十分である場合に外部光源を使用するが、外部の光線が十分でない場合にバックライトを使用する。
【０００４】
また、例えば携帯電話やPDA等携帯式電子製品の表示器は、低電圧化及び節電化を重要視する。このため、動画表示を要求されない携帯式電子製品は、TN/STN（単純マトリクス方式表示器）を利用することが最適である。
【０００５】
しかし、半透過半反射型構造は、従来のTN型表示器に適用する場合、液晶層の厚みが一定であるが透過光線と反射光線のライトパス（Light  Path）が異なるため、反射映像（Reflective  Image）の質が劣化する。従って、透過表示（Transmissive  Display）と反射表示（Reflective  Display）両者を同時に従来のTN型表示器に用いることが難しい。
【０００６】
反射映像の質を向上させるために、二重ギャップ（Dual  Gap）構造を設け、即ち、液晶層内に反射構造を形成し、透過光と反射光の夫々のライトパスを調節する方法が挙げられる。しかし、前記方法により、製造プロセス及び製品構造を複雑化させることがある。
【０００７】
また、一般の半透過半反射型液晶表示器は、光がその反射構造を透過する際に明度（Brightness）が若干弱化するため、その応用範囲が限定されている。
【特許文献１】特に無
【発明の開示】
【発明が解決しようとする課題】
【０００８】
前記問題点に鑑み、本発明が解決しようとする課題は、透過型液晶表示パネルのバックライト構造を利用し液晶表示パネル上端及びその底面に夫々補償フィルムを有する偏光板を設けることにより、透過及び反射の効果を生じさせることのできる半透過半反射型液晶表示パネル（Transflective LCD  Panel）を提供することにある。
【課題を解決するための手段】
【０００９】
本発明の半透過半反射型液晶表示パネルは、メイン部品として、液晶表示パネルに明度が高く視角が広い均質の光源を提供するバックライトモジュールを用いる。該バックライトの役割は、有効な光学機構を以って、慣用のポイント光源又はライン光源を、明度が高い均質の面光源に変換することにある。
【００１０】
一般のバックライト構造は、冷陰極蛍光灯を用い、光線を導光板（Light  Guide  Plate）に進入させる（或いは、反射板を介して導光板に進入させる）ものである。ここで、導光板の役割は、明度を増強、均一化させるように、光線の方向を調節することにある。
【００１１】
導光板は、光透過率の高い有機導光板を用いて良い。また、導光板の表面に、光線を数回全反射及び偏向（Deflection）させることのできるように反射ドットを設計形成する。これにより、光線が板表面に均一的に分散し、面光源が形成される。
【００１２】
本発明の半透過半反射型液晶表示パネルは、バックライト構造、及び夫々補償フィルム（Compensation  Film）を有する２枚の偏光板を組み合わせて、映像反射効果を生成させる。
【００１３】
本発明の半透過半反射型液晶表示パネルは、第１の透明基板、第２の透明基板、液晶物質層、第１の偏光板、第２の偏光板、バックライト構造、及び第１の透明基板と第２の透明基板との間のギャップを含むように構成される。TN液晶物質層が前記ギャップに充填される。また、第１の透明基板及び第２の透明基板の表面に、前記TN液晶物質に電圧を印加するための電極が複数形成される。また、第１の偏光板が第１の透明基板に、第２の偏光板が第２の透明基板に設けられる。第１の偏光板と第２の偏光板は、夫々、遅延値が波長の四分の一である補償フィルムを有する。
【００１４】
バックライト構造は、入射光を提供することのできるように、第１の透明基板の外部と接触する表面に設けられる。これにより、その入射光は、第１の透明基板を経由して第２の透明基板から射出し、透過映像を形成する。一方、外部からの入射光は、第２の透明基板から入射することができる。バックライト構造の設計及び夫々補償フィルムを有する２枚の偏光板により、第２の透明基板において映像反射効果が達成される。
【００１５】
また、TN液晶物質のねじり角度（Twisting  Angle）が０−５０度であり、第１の偏光板と第２の偏光板との透過軸（Transmission  Axis）が互いに垂直し合い、補償フィルムの偏向軸（Slow  Axis）と偏光板の透過軸とがなす角度は４５度である。更に、透過型表示パネルのコントラスト及び映像品質を向上させるために、表示パネルに反射遮蔽層を設けて良い。
【発明の効果】
【００１６】
本発明の半透過半反射型液晶表示パネルは、反射板や二重ギャップ構造を設けることがなく、透過映像及び反射映像を生成することができる。また、反射板を設ける必要がないため、透過光線に光線損失がなく、透過表示モードにおける光利用率が向上する。
【００１７】
なお、本発明の他の特徴及び利点は、後述の実施例並びに図面の説明から一層明瞭にする。
【発明を実施するための最良の形態】
【００１８】
本発明は、バックライト構造及び補償フィルム付き偏光板を組み合わせて透過型パネルにおいて透過及び反射表示を達成する半透過半反射型液晶表示パネルに関わる。
【００１９】
以下、本発明の実施例を図面に基づいて説明する。図１は本発明の実施例に係る半透過半反射型液晶表示パネルを示す図である。
【００２０】
本実施例では、半透過半反射型液晶表示パネルは、透過型表示パネルとバックライト構造からなる。
【００２１】
図に示すように、透過型表示パネルは、第１の透明基板１０、第２の透明基板２０、複数の電極３１、TN液晶物質層３０、並びに、補償フィルム１１及び２１をそれぞれ有する第１の偏光板１２及び第２の偏光板２２からなる。
【００２２】
また、第１の透明基板１０と第２の透明基板２０との間にギャップが設けられ、TN液晶物質層３０は該ギャップに充填される。
【００２３】
また、第１の透明基板１０及び第２の透明基板２０の表面に、前記TN液晶物質層３０に電圧を印加するための電極３１が複数形成される。
【００２４】
また、第１の偏光板１２が第１の透明基板１０の表面に、第２の偏光板２２が第２の透明基板２０に設けられる。第１の偏光板１２と第２の偏光板２２は、夫々、遅延値が波長の四分の一である補償フィルム１１、２１を有する。
【００２５】
また、TN液晶物質層３０のねじり角度が０−５０度であり、第１の偏光板１２と第２の偏光板２２との透過軸が互いに垂直し合い、補償フィルム１１，１２の偏向軸と偏光板１２，２２の透過軸とがなす角度は４５度である。
【００２６】
バックライト構造は、第１の透明基板１０側に設けられる導光板４２と、導光板４２に光線を提供する光源４１とからなる。導光板４２から均一の入射光が提供される。入射光は、第１の透明基板１０を透過して第２の透明基板２０から射出し、透過映像を形成する。
【００２７】
図２は本発明の実施例に係る反射表示モードを示す図である。
【００２８】
図２において、外部からの入射光は環境光または発光装置により提供される場合には、入射光は、第２の偏光板２２、補償フィルム２１、第２の透明基板２０、第１の透明基板１０、補償フィルム１１、第１の偏光板１２を通じて、導光板４２から、反射される。
【００２９】
図３は本発明の実施例に係る透過表示モードを示す図である。
【００３０】
図３において、バックライト構造の光源４１及び導光板４２は表示パネルのバックライト源として用いられる。入射光は、第１の透明基板１０及びTN液晶物質層３０を透過した後に、第２の透明基板２０から射出し、透過映像を形成する。
【００３１】
なお、透過映像のコントラスト及び質を向上させるために、表示パネル側に、LCDパネルにおける各種の金属信号線からの反射光を軽減する反射遮蔽層を設けて良い。該反射遮蔽層は、例えば、特殊処理によるブラックマトリクス（Black  Matrix）を第２の透明基板の表面に形成することにより、設けられる。また、該ブラックマトリクスは、例えば、ブラック樹脂（Black  Resin）、クロム／クロム酸化物（Cr／CrOx）のいずれかの材質から形成される。
【００３２】
本発明は前記実施例の如く提示されているが、これは本発明を限定するものではなく、当業者は本発明の要旨と範囲内において変形と修正をすることができる。
【図面の簡単な説明】
【００３３】
【図１】本発明の実施の形態に係る半透過半反射型液晶表示パネルを示す図である。
【図２】本発明の実施の形態に係る反射表示方式を示す図である。
【図３】本発明の実施の形態に係る透過表示方式を示す図である。
【符号の説明】
【００３４】
１０  第１の透明基板
１１、２１  補償フィルム
１２、２２  偏光板
２０  第２の透明基板
３０  TN液晶物質層
３１  電極
４１  光源
４２  導光板
【図１】
2006215314.tif 000003
【図２】
2006215314.tif 000004
【図３】
2006215314.tif 000005